(57)【要約】【課題】長期間使用しても天井面が変色することがなく、且つ本体のコストアップも生じない天井取付け用照明器具を提供する。【解決手段】天井に取り付けた照明器具のパッキン７は、器具本体１と天井との間に位置し、両側から押圧されており、その上面に貼り付けられている柔軟部材７ｂが天井に当接している。この柔軟部材７ｂは、アクリル系の材質であり、ガスの遮断性に優れている。パッキン７を形成するウレタン材７ａから放出されるガスは、柔軟部材７ｂによって遮断され、直接天井に当らない。したがって、照明器具を長期間使用しても、天井が変色することはない。【選択図】図２
2005267882.tif 000002
【特許請求の範囲】
【請求項１】
照明ランプが保持される照明器具本体が取り付け部材を介して天井に取り付けられ、前記照明器具本体の天井側の面に該天井面との間に介在する複数個のウレタン材が接着されている天井取付け用照明器具において、
前記ウレタン材の天井側面に、該ウレタン材より放出される汚染ガスを遮断する柔軟部材を貼り付けたことを特徴とする天井取付け用照明器具。
【請求項２】
前記柔軟部材は、その天井側面が凹凸状に加工されている請求項１記載の天井取付け用照明器具。
【請求項３】
前記柔軟部材は、アクリル系材質で構成されている請求講１または２に記載の天井取付用照明器具
【発明の詳細な説明】
【技術分野】
【０００１】
この発明は、天井に取り付ける天井取付用照明器具に関する。
【背景技術】
【０００２】
従来、部屋の天井に取り付けられている照明器具取付け用の配線器具、所謂引掛けシーリング、に取り付ける照明器具があった。この種の照明器具は、前記配線器具に専用のアダプタを取り付け、このアダプタに照明器具本体を取り付ける構造である。また、照明器具が前記配線器具に対して回転し、この回転による衝撃で前記配線器具を破損したり、さらには照明器具が外れて落下する等の弊害が生じるのを防止するために、照明器具本体の天井面に対向する側に緩衝材を取り付けることが一般に行われている（特許文献１等参照）。この緩衝材は、多くの場合、容易に入手でき、且つ安価であるウレタンを利用している。
【０００３】
【特許文献１】特開平１１−３２９０５１号公報
【発明の開示】
【発明が解決しようとする課題】
【０００４】
しかしながら、ウレタン材を天井面に対向する側に取り付けた照明器具を長期間使用すると、天井面が変色するという問題があった。この問題の原因として、以下のことが考えられる。
【０００５】
ウレタン材は、ポリオール、イソシアネート、発泡材、アミン触媒等を含む組成である。ウレタン材は、照明器具に取り付けたランプの熱で加熱され、その結果ウレタン材から揮発したガスが直接天井面にあたり、天井面を変色、汚染する。
【０００６】
一方、この問題を解決するために、天井面を変色、汚染するようなガスを揮発することのない材質で緩衝材を生成すればよいのであるが、このような材質で緩衝材を生成することは、緩衝材が高価になり、照明器具のコストアップという問題がある。
【０００７】
この発明の目的は、長期間使用しても天井面が変色することがなく、且つ本体のコストアップも生じない天井取付け用照明器具を提供することにある。
【課題を解決するための手段】
【０００８】
この発明は、上記の課題を解決するために、以下の構成を備えている。
【０００９】
（１）照明ランプが保持される照明器具本体が取り付け部材を介して天井に取り付けられ、前記照明器具本体の天井側の面に該天井面との間に介在する複数個のウレタン材が接着されている天井取付け用照明器具において、
前記ウレタン材の天井側面に、該ウレタン材より放出される汚染ガスを遮断する柔軟部材を貼り付けたことを特徴とする。
【００１０】
この構成では、ウレタン材の天井側面に、該ウレタン材より放出される汚染ガスを遮断する柔軟部材を貼り付けたので、ウレタン材から放出される汚染ガスが直接天井に当らない。したがって、天井面が変色するのを防止出来る。ウレタン材より放出される汚染ガスの遮断に有効な柔軟部材の材質としては、アクリル系材質がある。また、ウレタン材を緩衝材として利用するのでコストアップという問題もない。
【００１１】
（２）前記柔軟部材は、その天井側面が凹凸状に加工されていることを特徴とする。
【００１２】
この構成では、柔軟部材の天井側面が凹凸上に加工したので、天井面との間で適当な摩擦を生じさせることができる。これにより照明器具を取りつけた後に、わずかな力で照明器具が回転するのを防ぐことができ、カバーを取り付けるとき等に照明器具が回転しないので作業安定性が図れる。
【発明の効果】
【００１３】
この発明によれば、ウレタン材の天井側面に、該ウレタン材より放出される汚染ガスを遮断する柔軟部材を貼り付けたので、天井面が変色することを防ぐことが出来る。
【発明を実施するための最良の形態】
【００１４】
この発明の実施形態である照明器具について説明する。図１はこの発明の実施形態の照明器具を示す図である。この実施形態の照明器具は、器具本体１と器具本体１の取りつけに用いるアダプタ２と、光源であるランプ５を覆うカバー６と、を備えている。また、図中に示す３は天井に取り付けられている配線器具である。アダプタ２は配線器具３の下面に形成されたコンセントソケットにプラグを差し込んで取り付ける。器具本体１は、器具本体１の中央の開口部の側面に形成した溝にアダプタ２の側面に形成されたフック４を嵌挿して取り付ける。また、カバー６は器具本体１の所定の位置に設けた複数のカバー取付金具８を利用して本体に取り付ける。
【００１５】
器具本体１の上面には、図２に示すように複数のパッキン７が接着されており、パッキン７は図３に示すようにウレタン材７ａの上面にシート状の柔軟部材７ｂを貼り付けた構成である。ウレタン材７ａは、長期間にわたって引っ張り強度が低下せず、変形しにくい。柔軟部材７ｂはアクリル系の材質で形成されており、その表面はに多数の皺による細かい凹凸が形成されている。また、ウレタンは廉価である。
【００１６】
次に、この実施形態の照明器具の取り付け方について説明する。
【００１７】
まず、最初に天井に設けられている配線器具３にアダプタ２を図４に示すように取り付ける。具体的には、配線器具３に形成されているコンセントソケットにアダプタ２のコンセントプラグを差し込む。配線器具３に形成されているコンセントソケットは所謂ロック式のコンセントソケットであり、アダプタ２のコンセントプラグを挿入して回転することで、コンセントプラグが抜けないようにロックできる。
【００１８】
次に、配線器具３に取り付けたアダプタ２に器具本体１を取り付ける。アダプタ２にはその側面の対向する位置に２つのフック４が設けられている。このフック４は、側面から外部に突出した状態と内側に収納された突出していない状態との間で移動自在に取り付けられており、外部に突出した状態になるように付勢されている。器具本体１の開口部をアダプタ２の位置に合わせ、器具本体１を押し上げるとフック４が側面に押され内部に収納された突出していない状態になる。器具本体１をさらに押し上げフック４が器具本体１の溝の位置までくるとフック４が外部に突出し、溝に嵌挿する。これにより器具本体１がフック４に係止される。また、器具本体１をアダプタ２に取り付ける際、押し上げた器具本体１が勢いよく天井にあたるのをパッキン７が緩衝材となって防止する。器具本体１は、開口部の円周に溝が形成されており、アダプタ２に回転自在に取り付けられている。
【００１９】
一方、パッキン７は、その高さを器具本体から天井までの高さより高くしたので、パッキン７の天井側面に貼り付けてある柔軟部材７ｂが天井に密接している。そして、柔軟部材７ｂの天井側面には、多数の皺による細かい凹凸が形成されているので、器具本体１に力が与えられなければ柔軟部材７ｂと天井との当接面における摩擦で回転することはない。最後に器具本体１にカバー６を取り付ける。カバー６は器具本体１の所定の位置に設けた複数のカバー取付金具８を利用して器具本体１の下方から器具本体１にあわせて取り付ける。ここでカバー取付金具８とカバー６を係合させる。このとき天井側面が摩擦力を持っているので器具本体が回転したりせず、取付時の作業安定性を確保できる。
【００２０】
図５は、照明器具を天井に取り付けた状態を示す側面図である。
【００２１】
天井に取り付けた照明器具のパッキン７は、器具本体１と天井との間に位置し、両側から押圧されており、その上面に貼り付けられている柔軟部材７ｂが天井に当接している。この柔軟部材７ｂは、アクリル系の材質であり、後述するようにガスの遮断性に優れている。パッキン７を形成するウレタン材７ａから放出されるガスは、柔軟部材７ｂによって遮断され、直接天井に当らない。したがって、照明器具を長期間使用しても、天井が変色することはない。
【００２２】
柔軟部材７ｂとして適切な部材を選定するは実験では、図６のような結果が得られた。この図中では、○が良い、△が普通、×が悪いという意味を示す。この結果では、アルミニウムはガス遮断性は良いが柔軟性と摩擦性能が良くない。また、紙ではガス遮断性と柔軟性は良いが、摩擦性能が良くない。ポリエチレンでは、ガス遮断性は良くないが柔軟性と摩擦性能は良い。アクリルはガス遮断性は普通だが柔軟性と摩擦性能が良い。これらの実験結果をふまえるとアクリル系が一番良いと考えられる。なお、これら以外の材質として塩化ビニルがあげられるが、ダイオキシンを発生させる問題があるため好ましくない。  なお、ウレタン材７ａには、エステル系とエーテル系があり、エステル系はエーテル系に比べ耐熱性が優れているが、温度が７０〜７５℃の連続使用時で温度と湿度が両方加わった場合、エーテル系の方が劣化しにくい傾向にあるので、エーテル系ウレタン材の方が望ましい。
【図面の簡単な説明】
【００２３】
【図１】本発明にかかる照明器具の分解斜視図。
【図２】本発明にかかるパッキンを備えた器具本体の斜視図
【図３】本発明にかかるパッキンの構造図。
【図４】本発明にかかる配線器具にアダプタを取り付けたときの斜視図。
【図５】本発明にかかる照明器具を天井に取り付けた状態を示す側面図
【図６】本発明にかかる柔軟部材９として適切な部材の実験の結果図
【符号の説明】
【００２４】
１−器具本体
２−アダプタ
３−配線器具
４−フック
５−ランプ
６−カバー
７−パッキン
７ａ−ウレタン材
７ｂ−柔軟部材
【図１】
2005267882.tif 000003
【図２】
2005267882.tif 000004
【図３】
2005267882.tif 000005
【図４】
2005267882.tif 000006
【図５】
2005267882.tif 000007
【図６】
2005267882.tif 000008